(57)【要約】【課題】  カメラの被写体光を入射して測距情報を得るためのＡＦモジュールの入射光軸の方向と位置を調整可能にし、高精度な被写体距離情報を出力することを可能にする。【解決手段】  被写体光を入射して被写体の距離情報を出力するＡＦモジュール５を備えるカメラにおいて、ＡＦモジュール５をミラーボックス１に取り付けるためのＡＦモジュール取付調整枠６を備える。ＡＦモジュール取付調整枠６は被写体光軸に対するＡＦモジュール５の入射光軸の傾きを調整するための傾き調整手段と、入射光軸を被写体光軸に対して平行移動させる平行調整手段とを備える。ＡＦモジュール５の入射光軸を被写体光軸に一致させることができ、高精度な被写体の距離情報を得ることができる。【選択図】  図１
2007225684.tif 000002
【特許請求の範囲】
【請求項１】
被写体光を入射して被写体の距離情報を出力するＡＦモジュールを備えるカメラにおいて、前記ＡＦモジュールをカメラボディに取り付けるためのＡＦモジュール取付調整枠を備え、前記ＡＦモジュール取付調整枠は前記被写体光軸に対する前記ＡＦモジュールの入射光軸の傾きを調整するための傾き調整手段と、前記入射光軸を前記被写体光軸に対して平行移動させる平行調整手段とを備えることを特徴とするカメラのＡＦモジュール取付装置。
【請求項２】
前記平行調整手段は前記ＡＦモジュール取付調整枠を前記被写体光軸と垂直な面上で前記カメラボディに対して一方向に移動可能に支持する手段であり、前記傾き調整手段は、前記ＡＦモジュール取付調整枠に対して前記ＡＦモジュールを入射光軸と垂直な面上においてＸ方向、Ｙ方向にそれぞれ独立して傾きを調整可能な手段であることを特徴とする請求項１に記載のカメラのＡＦモジュール取付装置。
【請求項３】
前記平行調整手段は、前記ＡＦモジュール取付調整枠を前記被写体光軸と垂直な面内において前記カメラボディに対して一方向に移動可能に支持する手段と、前記ＡＦモジュール取付調整枠を前記カメラボディに対して前記一方向に位置調整する手段とを備え、前記位置調整手段はＡＦモジュール取付調整枠をカメラボディに対して位置規制するための調整ネジと、前記カメラボディとＡＦモジュール取付調整枠との間に弾装されて当該ＡＦモジュール取付調整枠を前記調整ネジに対して弾接させるスプリングとを備えることを特徴とする請求項２に記載のカメラのＡＦモジュール取付装置。
【請求項４】
前記傾き調整手段は、前記ＡＦモジュール取付調整枠の前記被写体光軸と垂直な面においてＸ方向及びＹ方向にＬ字配設された３箇所に設けられたボスと、これらボスにそれぞれ螺合され、前記各ボスに対応して前記ＡＦモジュールに設けられた３つの支持片を前記ＡＦモジュール取付調整枠の前記３箇所において支持する調整ネジと、前記各ボスと各支持片との間に弾装されて各支持片を各調整ネジに対して弾接させるコイルスプリングとを備えることを特徴とする請求項２又は３に記載のカメラのＡＦモジュール取付装置。
【請求項５】
前記ＡＦモジュールは被写体光を複数に分割して距離情報を取得するように構成されており、前記平行調整手段は少なくとも当該被写体光を分割する方向にＡＦモジュール取付調整枠を位置調整可能に構成したことを特徴とする請求項１ないし４のいずれかに記載のカメラのＡＦモジュール取付装置。
【請求項６】
前記ＡＦモジュールは一眼レフカメラのミラーボックスに取り付けられ、前記ミラーボックス内に内装されたメインミラーを透過し、サブミラーで反射された被写体光を入射するように構成され、前記ＡＦモジュール取付調整枠は前記ミラーボックスの下部に取り付けられ、前記ＡＦモジュールは前記ＡＦモジュール取付調整枠の下側面に取り付けられることを特徴とする請求項１ないし５のいずれかに記載のカメラのＡＦモジュール取付装置。
【請求項７】
前記サブミラーで反射された被写体光はミラーボックスの前方に向けて傾斜した方向に向けられ、前記平行調整手段は当該被写体光の光路を外れた前記ミラーボックスの後部寄りの領域内に配設されていることを特徴とする請求項６に記載のカメラのＡＦモジュール取付装置。
【発明の詳細な説明】
【技術分野】
【０００１】
本発明はカメラのＡＦ（自動焦点）制御を行うための被写体距離情報を得るためのＡＦモジュールに関し、特に当該ＡＦモジュールをカメラ内に取り付ける際の位置調整を容易に行うようにしたＡＦモジュール取付装置に関するものである。
【背景技術】
【０００２】
被写体の焦点合わせを自動的に行うＡＦカメラでは、被写体までの距離を測距して被写体距離情報を得るためのＡＦモジュールをカメラ内に設ける必要がある。例えば、一眼レフカメラでは、ミラーボックスの下部にＡＦモジュールを取り付けておき、撮影レンズで結像する被写体光をミラーボックスのメインミラーの一部に設けたハーフミラー部を透過させ、かつサブミラーで反射してＡＦモジュールに導くように構成し、ＡＦモジュールは導かれた被写体光から距離情報を得ている。ＡＦモジュールは入射された被写体光をレンズ光学系のセパレータレンズによって２つの被写体光に分割し、分割した各被写体光をラインセンサにそれぞれ被写体像として結像し、これらの結像された被写体像をラインセンサで検出し、所要の信号処理を行うことで距離情報を出力するように構成されている。そのため、正確な距離情報を得るためには、入力される被写体光の光軸をＡＦモジュールのレンズ光学系の光軸、すなわち入射光軸に一致させる必要があり、そのためＡＦモジュールをミラーボックスに取り付ける際には両者の光軸が一致するようにＡＦモジュールの取付方向の調整を行う必要がある。
【０００３】
このようなＡＦモジュールの取付方向の調整を実現するために、特許文献１ではミラーボックスとは別体のＡＦモジュール取付調整枠を設け、ＡＦモジュールをＡＦモジュール取付調整枠を介してミラーボックスに取り付けている。このＡＦモジュール取付調整枠にはＸ方向及びＹ方向に並ぶ３つの調整ネジによりＡＦモジュールを取り付けており、これら３つの調整ネジを調整することによりＡＦモジュール取付調整枠に対するＡＦモジュールの取付方向、すなわちミラーボックスに対するＡＦモジュールの取付方向の調整が可能となり、ＡＦモジュールの入射光軸を被写体光の光軸に対して平行になるように方向を調整することが可能とされている。
【特許文献１】特開２００４−１５７２１２号公報
【発明の開示】
【発明が解決しようとする課題】
【０００４】
特許文献１の技術では、ＡＦモジュール取付調整枠での調整によってＡＦモジュールの入射光軸のＸ方向の傾きとＹ方向の傾きを調整して被写体光の光軸（以下、被写体光軸と称する）に合わせるものであるため、ＡＦモジュールの入射光軸を被写体光軸と同じ方向、すなわち両光軸が平行になるように調整することは可能でも、入射光軸と被写体光軸を一致させることは難しく、両光軸に平行なずれが生じてしまうことがある。そのため、入射光軸と被写体光軸とのずれがＡＦモジュール内のラインセンサの長さ方向、すなわち被写体光を分割する方向に生じていると、このずれがラインセンサ上での被写体光による被写体像の検出誤差となって表れ、結果として被写体距離情報に誤差が生じ、高精度なＡＦ制御ができなくなるおそれがある。
【０００５】
本発明の目的は、ＡＦモジュールの入射光軸の方向と位置を調整可能にし、高精度な被写体距離情報を出力することを可能にしたＡＦモジュール取付装置を提供するものである。
【課題を解決するための手段】
【０００６】
本発明は、被写体光を入射して被写体の距離情報を出力するＡＦモジュールを備えるカメラにおいて、ＡＦモジュールをカメラボディに取り付けるためのＡＦモジュール取付調整枠を備えており、当該ＡＦモジュール取付調整枠は被写体光軸に対するＡＦモジュールの入射光軸の傾きを調整するための傾き調整手段と、入射光軸を被写体光軸に対して平行移動させる平行調整手段とを備えることを特徴とする。
【０００７】
ここで、平行調整手段はＡＦモジュール取付調整枠を被写体光軸と垂直な面上でカメラボディに対して一方向に移動可能に支持する手段であり、傾き調整手段は、ＡＦモジュール取付調整枠に対してＡＦモジュールを入射光軸と垂直な面上においてＸ方向、Ｙ方向にそれぞれ独立して傾きを調整可能な手段として構成する。
【０００８】
例えば、平行調整手段は、ＡＦモジュール取付調整枠を被写体光軸と垂直な面内においてカメラボディに対して一方向に移動可能に支持する手段と、ＡＦモジュール取付調整枠をカメラボディに対して一方向に位置調整する手段とを備え、位置調整手段はＡＦモジュール取付調整枠をカメラボディに対して位置規制するための調整ネジと、カメラボディとＡＦモジュール取付調整枠との間に弾装されて当該ＡＦモジュール取付調整枠を調整ネジに対して弾接させるスプリングとを備える構成とする。
【０００９】
また、傾き調整手段は、ＡＦモジュール取付調整枠の被写体光軸と垂直な面においてＸ方向及びＹ方向にＬ字配設された３箇所に設けられたボスと、これらボスにそれぞれ螺合され、各ボスに対応してＡＦモジュールに設けられた３つの支持片をＡＦモジュール取付調整枠の前記３箇所において支持する調整ネジと、前記各ボスと各支持片との間に弾装されて各支持片を各調整ネジに対して弾接させるコイルスプリングとを備える構成とする。
【００１０】
さらに、前記ＡＦモジュールは被写体光を複数に分割して距離情報を取得するように構成されている場合には、前記平行調整手段は当該被写体光を分割する方向にＡＦモジュール取付調整枠を位置調整可能に構成する。
【発明の効果】
【００１１】
本発明によれば、ＡＦモジュールの入射光軸を被写体光軸に一致させることができ、ＡＦモジュールにより高精度な被写体の距離情報を得ることができる。特に、ＡＦモジュールでの距離情報を得る方式として、被写体光を２つに分割してラインセンサで検出する方式を採用するＡＦモジュールでは、少なくとも当該被写体光を分割している方向についてＡＦモジュールの入射光軸を被写体光軸に一致させることで、高精度な距離情報を得ることが可能になる。
【発明を実施するための最良の形態】
【００１２】
本発明において、ＡＦモジュールは一眼レフカメラのミラーボックスに取り付けられ、ミラーボックス内に内装されたメインミラーを透過し、サブミラーで反射された被写体光を入射するように構成され、ＡＦモジュール取付調整枠はミラーボックスの下部に取り付けられ、ＡＦモジュールはＡＦモジュール取付調整枠の下側面に取り付けられる構成とすることが好ましい。また、サブミラーで反射された被写体光はミラーボックスの前方に向けて傾斜した方向に向けられ、平行調整手段は当該被写体光の光路を外れたミラーボックスの後部寄りの領域内に配設されることが好ましい。これにより、ミラーボックス内のスペースを有効利用してカメラの小型化を可能にする一方で、被写体光がＡＦモジュールに入射する際の妨げになることがなく、高精度な被写体の距離情報を得ることができる。
【実施例１】
【００１３】
次に、本発明の実施例を図面を参照して説明する。図１は本発明を適用したデジタル一眼レフカメラのミラーボックス内部の概略断面図である。矩形の箱状に形成されたミラーボックス１の前面には図には表れない撮影レンズを装着するためのレンズマウント２が配設され、また背面には図には表れないシャッタ機構を介してＣＣＤ或いはＣＭＯＳ撮像素子が配設される。前記ミラーボックス１の内部には上端部に水平方向に設けたを回動軸３ａを支点にして上下方向に回動されるメインミラー３が配設されており、通常は同図に示す下方の位置に回動して撮影レンズで結像される被写体光をミラーボックス１の上部に設けられる図には表れないファインダ光学系に向けて反射する。また、前記メインミラー３はシャッタ機構が開かれるレリーズ時には上方位置に回動して撮影レンズで結像される被写体光の光路から上方に退避し、当該被写体光を撮像素子にまで導いて撮像を行う。また、前記メインミラー３は被写体光の光軸を含む微小領域がハーフミラー部３ｂとして構成されており、このハーフミラー部３ｂの背後にサブミラー４が設けられている。サブミラー４はメインミラー３が下方位置に回動している同図の状態のときにハーフミラー部３ｂを透過した被写体光をミラーボックス１の下方に向けて反射し、ミラーボックス１の下部に配設されているＡＦモジュール５に入射させる。
【００１４】
前記ＡＦモジュール５は、同図に示されるように、ほぼレ字状をした角筒からなるケーシング５１内に第１コンデンサレンズ５２、反射ミラー５３、第２コンデンサレンズ５４、マスク５５、セパレータレンズ５６、及びラインセンサ５７を有しており、第１コンデンサレンズ５２に入射される被写体光を反射ミラー５３で反射し、第２コンデンサレンズ５４を通し、マスク５５で光を制限した上でセパレータレンズ５６により２つの被写体光に分割する。分割された２つの被写体光はそれぞれラインセンサ５７において結像され、ラインセンサ５７から電気信号として出力される。このラインセンサ５７からの出力を図には表れない回路で位相差法により信号処理することで、被写体の距離情報、すなわち合焦位置からのずれ量を得ることが可能である。ここで、前記セパレータレンズ５６とラインセンサ５７は同図の上下方向、すなわちミラーボックス１の上下方向に延長されており、被写体光をセパレータレンズ５６で上下方向に分割してラインセンサ５７に結像している。したがって、ＡＦモジュール５に入射された被写体光が反射ミラー５３で反射する前の状態を考慮すると、ＡＦモジュール５はミラーボックス１の前後方向（同図の左右方向）に向けて被写体光を２つに分割して距離情報を得ていることと等価になる。
【００１５】
図２は前記ＡＦモジュール５をミラーボックス１の下部に取り付ける構造を説明するためにミラーボックス１を上下を反対にした部分分解斜視図である。同図において、ＡＦモジュール５は前記ケーシング５１の一方の側面に１つの、反対の側面に２つの、合計３つの舌片状をした支持片５１ａ，５１ｂ，５１ｃが突出されている。これらの支持片５１ａ，５１ｂ，５１ｃはそれぞれ支持穴が開口されるとともに平面上でＬ字配置されている。すなわち、一つの支持片５１ｂに対して同じ側面に設けられた他の一つの支持片５１ｃはＹ方向（ミラーボックス１の前後方向）に、反対側の側面に設けられた別の一つの支持片５１ａはＸ方向（ミラーボックス１の左右方向）に配列されている。また、各支持片５１ａ，５１ｂ，５１ｃはＡＦモジュール５の前記した各レンズを含む光学系の入射光軸に対して垂直な方向に傾けられている。
【００１６】
また、図２に示すように、前記ＡＦモジュール５をミラーボックス１に取り付けるためにＡＦモジュール取付調整枠６が設けられている。このＡＦモジュール取付調整枠６は後述するように２本の取付ネジ７ａ，７ｂによりミラーボックス１に取り付けられ、ＡＦモジュール５はこのＡＦモジュール取付調整枠６に３本の調整ネジ８ａ，８ｂ，８ｃにより取付られている。前記ＡＦモジュール取付調整枠６は細片板状をした主辺部６１と、この主片の両端から延長されてそれぞれ長さが若干相違する２つの側辺部６２，６３とを有してほぼコ字状に近い平面形状をした板状部材として形成されており、両側辺部６２，６３の各先端部には辺の長さ方向に細長い長円形をした取付穴６２ａ，６３ａが開口されている。また、前記ＡＦモジュール取付調整枠６の下面には前記主辺部６１の両端部と、長い側の側辺部６３の中間部位の合計３つの箇所にそれぞれ傾斜した方向に突出した円形ボス６４ａ，６４ｂ，６４ｃが一体に突出形成されている。これら３つの円形ボス６４ａ，６４ｂ，６４ｃは前記ＡＦモジュール５の３つの支持片５１ａ，５１ｂ，５１ｃに対応してＬ字に平面配置されており、中央に位置する一つの円形ボス６４ｂを挟んで他の一つの円形ボス６４ｃは前記したＹ方向に、別の一つの円形ボス６４ａはＸ方向に配列されている。また、各円形ボス６４ａ，６４ｂ，６４ｃは同じ角度に傾斜されており、この傾斜角は前記ＡＦモジュール５の入射光軸と平行に向けられている。また、各円形ボス６４ａ，６４ｂ，６４ｃは長さ方向の先端側のほぼ半分の領域が若干だけ小径に形成されており、この小径の部分にはそれぞれコイルスプリング６５ａ，６５ｂ，６５ｃが嵌装されている。さらに、前記ＡＦモジュール取付調整枠６の前記主辺部６１のほぼ中央には上方（図２では下方）に向けて舌片状をした調整片６１ａが突出されており、この調整片６１ａには調整ネジ９が挿通されている。
【００１７】
図３はＡＦモジュール５をＡＦモジュール取付調整枠６に取り付けた状態の上下を反対にした斜視図である。ＡＦモジュール５は３つの支持片５１ａ，５１ｂ，５１ｃのそれぞれに調整ネジ８ａ，８ｂ，８ｃを挿通し、ＡＦモジュール取付調整枠６の３つの円形ボス６４ａ，６４ｂ，６４ｃの各ネジ穴に螺合させる。各支持片５１ａ，５１ｂ，５１ｃは当該調整ネジ８ａ，８ｂ，８ｃの頭部と各円形ボス６４ａ，６４ｂ，６４ｃに嵌装したコイルスプリング６５ａ，６５ｂ，６５ｃとの間に挟持され、かつ各コイルスプリング６５ａ，６５ｂ，６５ｃの弾性力によって調整ネジ８ａ，８ｂ，８ｃの頭部との間に弾性保持されるため、このようにＡＦモジュール５をＡＦモジュール取付調整枠６に対して取り付けた状態ではＡＦモジュールに外力を加えればコイルスプリング６５ａ，６５ｂ，６５ｃの撓み変形によりＡＦモジュール取付調整枠６に対するＡＦモジュール５の取付姿勢、すなわち取付方向をＸ方向及びＹ方向に調整することが可能である。すなわち、調整ネジ８ａの螺合位置を調整することでＡＦモジュール５を調整ネジ８ｂを支点としてＹ方向を軸とするＲＸ方向に傾動させることができ、調整ネジ８ｃの螺合位置を調整することでＡＦモジュール５を調整ネジ８ｂを支点としてＸ方向を軸とするＲＹ方向に傾動させることができる。ここで、これら調整ネジ８ａ，８ｂ，８ｃ、及びコイルスプリング６５ａ，６５ｂ，６５ｃは本発明における傾き調整手段として構成される。
【００１８】
図４はミラーボックス１の下部にＡＦモジュール取付調整枠６を介してＡＦモジュール５を取り付けた状態の一部を破断した要部の側面図である。ＡＦモジュール取付調整枠６は、両側辺部６２，６３がミラーボックス１の前後方向に向けられた状態で前記各取付穴６２ａ，６３ａに嵌入される取付ネジ７ａ，７ｂによりミラーボックス１の下部壁１ａに取着される。ここで前記取付ネジ７ａ，７ｂはいわゆる段ネジとして構成されており、取付ネジ７ａ，７ｂによりミラーボックス１に取り付けた状態では、ＡＦモジュール取付調整枠６は取付穴６２ａ，６３ａの長穴方向、すなわちミラーボックス１の前後方向に沿って微小寸法だけ移動させることが可能な状態となる。また、前記調整片６１ａには調整ネジ９が外側から挿通されており、この調整ネジ９の先端側にはコイルスプリング１０が嵌装され、さらに当該調整ネジ９はミラーボックス１の下部壁１ａに水平方向に螺合されている。ここで、これら調整ネジ９及びコイルスプリング１０は本発明における平行調整手段として構成される。
【００１９】
このように、ミラーボックスに取り付けられたＡＦモジュール５では、次のように入射光軸を被写体光軸に一致させることが可能となる。まず、図３に示したように、傾き調整手段において、Ｌ字配置された３つの調整ネジ８ａ，８ｂ，８ｃのうち、中央の調整ネジ８ｂに対してＹ方向に並ぶ調整ネジ８ｃを締結しあるいは緩めることで、この調整ネジ８ｃに嵌装されているコイルスプリング６５ｃの撓み量を変化させ、円形ボス６４ｃに対する支持片５１ｃの高さ位置を変化させる。これにより、ＡＦモジュール５はＸ方向に並ぶ２つの円形ボス６４ａ，６４ｂを結ぶ線を支点にしてＲＹ方向に傾動でき、ＡＦモジュール５のＹ方向に沿った入射光軸の傾きを調整することが可能になる。同様に、Ｌ字配置された３つの調整ネジ８ａ，８ｂ，８ｃのうち、中央の調整ネジ８ｂに対してＸ方向に並ぶ調整ネジ８ａを締結しあるいは緩めることで、この調整ネジ８ａに嵌装されているコイルスプリング６５ａの撓み量を変化させ、円形ボス６４ａに対する支持片５１ａの高さ位置を変化させる。これにより、ＡＦモジュール５はＹ方向に並ぶ２つの円形ボス６４ｂ，６４ｃを結ぶ線を支点にしてＲＸ方向に傾動でき、ＡＦモジュール５のＸ方向に沿った入射光軸の傾きを調整することが可能になる。これにより、図５（ａ）のように、ＡＦモジュール５の入射光軸が被写体光軸と平行でない場合でも、図５（ｂ）のように両光軸が平行になるようにＡＦモジュール５の方向調整が実現できる。
【００２０】
しかる後、図４に示したように、平行調整手段において、ＡＦモジュール取付調整枠６の調整ネジ９を軸転操作し、コイルスプリング１０を撓めながらミラーボックス１に対する螺合量を調整すると、両側辺部６２，６３はそれぞれ取付ネジ７ａ，７ｂと取付穴６２ａ，６３ａとのＹ方向の寸法余裕により、ＡＦモジュール取付調整枠６の調整片６１ａはコイルスプリング１０と調整ネジ９の頭部との間に挟持された状態で調整ネジ９と一体的にミラーボックス１に対してミラーボックス１の前後方向、つまり前記Ｙ方向に微小移動させることができ、すなわちＡＦモジュール取付調整枠６を移動させることができる。移動させた後はコイルスプリング１０の弾性力によって当該移動位置に保持させることが可能である。このＹ方向はミラーボックス１の前後方向、すなわちＡＦモジュール５内に設けられているセパレータレンズ５６とラインセンサ５７の延長方向、すなわち被写体光を分割して被写体の距離情報を得る方向であるので、図５（ｃ）のようにＡＦモジュール５の入射光軸を被写体光軸に対してＹ方向に一致させることで高精度な距離情報を得ることが可能になる。このとき実施例１では入射光軸と被写体光軸のＸ方向のずれはそのまま残されるが、前述のようにＸ方向とＹ方向のうち一方向でも光軸を一致させることで従来よりも高精度なものになることは詳細に説明するまでもない。
【００２１】
ここで、図１を参照すると、サブミラー４により反射される被写体光の光軸はミラーボックス１に対して前後方向に傾斜しているため、ミラーボックス１の下部の背後側領域には被写体光の光路が存在しない領域ＯＮＡが生じている。そのため、実施例のＡＦモジュール取付調整枠６の端部に配設した調整片６１ａや調整ネジ９及びコイルスプリング１０が当該無光路領域ＯＮＡ内に配置すれば、これらの部材によって被写体光の光路を遮るようなことはなく、ＡＦモジュール５による距離情報を得る際の障害になることもない。
【００２２】
本発明では、ＡＦモジュール取付調整枠６をミラーボックス１に対してＹ方向に位置調整可能な構成であれば、例えば図示は省略するが、ミラーボックス１にスクリュネジを支持するとともにＡＦモジュール取付調整枠６の一部を当該スクリュネジに螺合させ、スクリュネジを軸転することによりＡＦモジュール取付調整枠６をミラーボックス１に対して移動させて位置調整させるように構成してもよい。あるいは、ラック・ピニオン機構によりＡＦモジュール取付調整枠を位置調整させるようにしてもよい。
【００２３】
また、実施例の説明ではＡＦモジュール５はＹ方向に被写体光を分割して距離情報を得る構成であるが、Ｘ方向に被写体光を分割して距離情報を得る構成であればＡＦモジュール取付調整枠６をＸ方向に位置調整可能な構成とすればよい。もちろん、実施例とは異なる方式により被写体の距離情報を得る構成のＡＦモジュールを備えるカメラにおいても被写体光軸と入射光軸を一致させることが要求される場合には本発明の装置を適用することが可能である。
【図面の簡単な説明】
【００２４】
【図１】実施例１のデジタルカメラのミラーボックスの断面図である。
【図２】ミラーボックスを上下反対にした部分分解斜視図である。
【図３】ＡＦモジュールをＡＦモジュール取付調整枠に取り付けた状態の上下反対にした外観図である。
【図４】ミラーボックスの要部の一部を破断した側面図である。
【図５】光軸調整を説明する模式図である。
【符号の説明】
【００２５】
１  ミラーボックス
２  レンズマウント
３  メインミラー
４  サブミラー
５  ＡＦモジュール
６  ＡＦモジュール取付調整枠
７ａ，７ｂ  取付ネジ
８ａ，８ｂ，８ｃ  調整ネジ
９  調整ネジ
１０  コイルスプリング
６１  主辺部
６２，６３  側辺部
６４ａ，６４ｂ，６４ｃ  円形ボス
６５ａ，６５ｂ，６５ｃ  コイルスプリング
【図１】
2007225684.tif 000003
【図２】
2007225684.tif 000004
【図３】
2007225684.tif 000005
【図４】
2007225684.tif 000006
【図５】
2007225684.tif 000007